【手続補正書】
【提出日】平成27年3月6日(2015.3.6)
【手続補正１】
【補正対象書類名】特許請求の範囲
【補正対象項目名】全文
【補正方法】変更
【補正の内容】
【特許請求の範囲】
【請求項１】
モバイルデバイスが、ジオフェンスによって境界を示された領域に入ったことまたは前記領域を出たことの検出に応答して、前記ジオフェンスの侵害を検出することと、
前記検出から始まる設定持続時間の間、前記侵害の前記検出に応答して前記ジオフェンスによって境界を示された前記領域を初期状態から一時的に拡大または縮小させることと、
前記設定持続時間の満了に応答して前記ジオフェンスを前記初期状態に戻すことと
を備える方法。
【請求項２】
前記初期状態が、前記ジオフェンスによって境界を示されたエリアのサイズによって特徴づけられる、請求項１に記載の方法。
【請求項３】
前記ジオフェンスが円形ジオフェンスを備え、前記ジオフェンスによって境界を示された前記領域を一時的に拡大または縮小させることが、前記円形ジオフェンスの半径を変更することを備える、請求項２に記載の方法。
【請求項４】
前記ジオフェンスによって境界を示された前記領域を一時的に拡大または縮小させることは、前記モバイルデバイスが、前記ジオフェンスによって境界を示されたエリアに入ったことを検出したことに応答して、前記円形ジオフェンスの前記半径を一時的に増加させることを備える、請求項３に記載の方法。
【請求項５】
前記ジオフェンスによって境界を示された前記領域を一時的に拡大または縮小させることは、前記モバイルデバイスが、前記ジオフェンスによって境界を示されたエリアを出たことを検出したことに応答して、前記円形ジオフェンスの前記半径を一時的に減少させることを備える、請求項３に記載の方法。
【請求項６】
前記ジオフェンスが多角形形状を備える、請求項１に記載の方法。
【請求項７】
前記侵害を検出することは、
前記モバイルデバイスの軌道を取得することと、
前記軌道が前記ジオフェンスを横断したと判断したことに応答して、前記モバイルデバイスが前記ジオフェンスに入ったのか前記ジオフェンスを出たのかを判断することと
をさらに備える、請求項１に記載の方法。
【請求項８】
前記モバイルデバイスのロケーションの一連の２つ以上の推定値に少なくとも部分的に基づいて前記軌道を計算することをさらに備える、請求項７に記載の方法。
【請求項９】
前記モバイルデバイスに搭載された１つまたは複数の慣性センサーから取得された測定値に少なくとも部分的に基づいて前記軌道を計算することをさらに備える、請求項７に記載の方法。
【請求項１０】
前記設定持続時間の満了に応答して前記ジオフェンスを前記初期状態に戻すことが、前記設定持続時間内での増分にわたって前記ジオフェンスを前記初期状態に戻すことを備える、請求項１に記載の方法。
【請求項１１】
モバイルデバイスであって、
ワイヤレス信号を捕捉するための受信機と、
前記捕捉された信号に少なくとも部分的に基づいて、前記モバイルデバイスが、ジオフェンスによって境界を示された領域に入ったことまたは前記領域を出たことの検出に応答して、前記ジオフェンスの侵害を検出することと、
前記検出から始まる設定持続時間の間、前記侵害の前記検出に応答して前記ジオフェンスによって境界を示された前記領域を初期状態から一時的に拡大または縮小させることと、
前記設定持続時間の満了に応答して前記ジオフェンスを前記初期状態に戻すことと
を行うためのプロセッサと
を備えるモバイルデバイス。
【請求項１２】
前記初期状態が、前記ジオフェンスによって境界を示されたエリアのサイズによって特徴づけられる、請求項１１に記載のモバイルデバイス。
【請求項１３】
前記ジオフェンスが円形ジオフェンスを備え、前記ジオフェンスが、前記円形ジオフェンスの半径を変更することによって一時的に拡大または縮小される、請求項１２に記載のモバイルデバイス。
【請求項１４】
前記ジオフェンスによって境界を示された前記領域は、前記モバイルデバイスが、前記ジオフェンスによって境界を示されたエリアに入ったことを検出したことに応答して、前記円形ジオフェンスの前記半径を一時的に増加させることによって一時的に拡大される、請求項１３に記載のモバイルデバイス。
【請求項１５】
前記ジオフェンスによって境界を示された前記領域は、前記モバイルデバイスが、前記ジオフェンスによって境界を示されたエリアを出たことを検出したことに応答して、前記円形ジオフェンスの前記半径を一時的に減少させることによって一時的に縮小される、請求項１３に記載のモバイルデバイス。
【請求項１６】
前記ジオフェンスが多角形形状を備える、請求項１１に記載のモバイルデバイス。
【請求項１７】
前記侵害は、
前記モバイルデバイスの軌道を取得することと、
前記軌道が前記ジオフェンスを横断したと判断したことに応答して、前記モバイルデバイスが前記ジオフェンスに入ったのか前記ジオフェンスを出たのかを判断することと
によって検出される、請求項１１に記載のモバイルデバイス。
【請求項１８】
前記プロセッサが、前記モバイルデバイスのロケーションの一連の２つ以上の推定値に少なくとも部分的に基づいて前記軌道を計算するようにさらに構成された、請求項１７に記載のモバイルデバイス。
【請求項１９】
前記プロセッサが、前記モバイルデバイスに搭載された１つまたは複数の慣性センサーから取得された測定値に少なくとも部分的に基づいて前記軌道を計算するようにさらに構成された、請求項１７に記載のモバイルデバイス。
【請求項２０】
前記ジオフェンスが、前記設定持続時間内での増分にわたって前記ジオフェンスを前記初期状態に戻すことによって、前記設定持続時間の満了に応答して前記初期状態に戻される、請求項１１に記載のモバイルデバイス。
【請求項２１】
モバイルデバイスが、ジオフェンスによって境界を示された領域に入ったことまたは前記領域を出たことの検出に応答して、前記ジオフェンスの侵害を検出することと、
前記検出から始まる設定持続時間の間、前記侵害の前記検出に応答して前記ジオフェンスによって境界を示された前記領域を初期状態から一時的に拡大または縮小させことと、
前記設定持続時間の満了に応答して前記ジオフェンスを前記初期状態に戻すことと
を行うための、専用計算装置によって実行可能である、その上に記憶された機械可読命令を備える非一時的記憶媒体
を備える物品。
【請求項２２】
前記初期状態が、前記ジオフェンスによって境界を示されたエリアのサイズによって特徴づけられ、前記ジオフェンスが円形ジオフェンスを備え、前記ジオフェンスによって境界を示された前記領域が、前記円形ジオフェンスの半径を変更することによって一時的に拡大または縮小される、請求項２１に記載の物品。
【請求項２３】
前記ジオフェンスによって境界を示された前記領域は、前記モバイルデバイスが、前記ジオフェンスによって境界を示されたエリアに入ったことを検出したことに応答して、前記円形ジオフェンスの前記半径を一時的に増加させることによって一時的に拡大される、請求項２２に記載の物品。
【請求項２４】
前記ジオフェンスによって境界を示された前記領域は、前記モバイルデバイスが、前記ジオフェンスによって境界を示されたエリアを出たことを検出したことに応答して、前記円形ジオフェンスの前記半径を一時的に減少させることによって一時的に縮小される、請求項２１に記載の物品。
【請求項２５】
モバイルデバイスが、ジオフェンスによって境界を示された領域に入ったことまたは前記領域を出たことの検出に応答して、前記ジオフェンスの侵害を検出するための手段と、
前記検出から始まる設定持続時間の間、前記侵害の前記検出に応答して前記ジオフェンスによって境界を示された前記領域を初期状態から一時的に拡大または縮小させるための手段と、
前記設定持続時間の満了に応答して前記ジオフェンスを前記初期状態に戻すための手段と
を備える装置。
【請求項２６】
前記侵害を検出するための前記手段は、
前記モバイルデバイスの軌道を取得するための手段と、
前記軌道が前記ジオフェンスを横断したと判断したことに応答して、前記モバイルデバイスが前記ジオフェンスに入ったのか前記ジオフェンスを出たのかを判断するための手段と
をさらに備える、請求項２５に記載の装置。
【請求項２７】
前記モバイルデバイスのロケーションの一連の２つ以上の推定値に少なくとも部分的に基づいて前記軌道を計算するための手段をさらに備える、請求項２６に記載の装置。
【請求項２８】
前記モバイルデバイスに搭載された１つまたは複数の慣性センサーから取得された測定値に少なくとも部分的に基づいて前記軌道を計算するための手段をさらに備える、請求項２６に記載の装置。
【手続補正２】
【補正対象書類名】明細書
【補正対象項目名】００５０
【補正方法】変更
【補正の内容】
【００５０】
[0057]  特許請求の範囲および本明細書は、擬人化言語またはアルゴリズム的言語を含み得るが、ここでは人間の精神的または手作業の動作を主張する意図はない。すべての請求する動作は、１つまたは複数の装置において自動的に行われるものとする。
なお、本願の出願当初の請求項と同一の記載を以下に付記する。
［Ｃ１］ モバイルデバイスが、ジオフェンスによって境界を示された領域に入ったことまたは前記領域を出たことの検出に応答して、前記ジオフェンスの侵害を検出することと、
前記侵害の前記検出に応答して前記ジオフェンスを初期状態から一時的に改変することと、
持続時間の満了に応答して前記ジオフェンスを前記初期状態に戻すことと
を備える方法。
［Ｃ２］ 前記初期状態が、前記ジオフェンスによって境界を示されたエリアのサイズによって特徴づけられる、Ｃ１に記載の方法。
［Ｃ３］ 前記ジオフェンスが円形ジオフェンスを備え、前記ジオフェンスを一時的に改変することが、前記円形ジオフェンスの半径を変更することを備える、Ｃ２に記載の方法。
［Ｃ４］ 前記ジオフェンスを一時的に改変することは、前記モバイルデバイスが、前記ジオフェンスによって境界を示されたエリアに入ったことを検出したことに応答して、前記円形ジオフェンスの前記半径を一時的に増加させることを備える、Ｃ３に記載の方法。
［Ｃ５］ 前記ジオフェンスを一時的に改変することは、前記モバイルデバイスが、前記ジオフェンスによって境界を示されたエリアを出たことを検出したことに応答して、前記円形ジオフェンスの前記半径を一時的に減少させることを備える、Ｃ３に記載の方法。
［Ｃ６］ 前記ジオフェンスが多角形形状を備える、Ｃ１に記載の方法。
［Ｃ７］ 前記侵害を検出することは、
前記モバイルデバイスの軌道を取得することと、
前記軌道が前記ジオフェンスを横断したと判断したことに応答して、前記モバイルデバイスが前記ジオフェンスに入ったのか前記ジオフェンスを出たのかを判断することと
をさらに備える、Ｃ１に記載の方法。
［Ｃ８］ 前記モバイルデバイスのロケーションの一連の２つ以上の推定値に少なくとも部分的に基づいて前記軌道を計算することをさらに備える、Ｃ７に記載の方法。
［Ｃ９］ 前記モバイルデバイスに搭載された１つまたは複数の慣性センサーから取得された測定値に少なくとも部分的に基づいて前記軌道を計算することをさらに備える、Ｃ７に記載の方法。
［Ｃ１０］ 前記持続時間の満了に応答して前記ジオフェンスを前記初期状態に戻すことが、前記持続時間内での増分にわたって前記ジオフェンスを前記初期状態に戻すことを備える、Ｃ１に記載の方法。
［Ｃ１１］ モバイルデバイスであって、
ワイヤレス信号を捕捉するための受信機と、
前記捕捉された信号に少なくとも部分的に基づいて、前記モバイルデバイスが、ジオフェンスによって境界を示された領域に入ったことまたは前記領域を出たことの検出に応答して、前記ジオフェンスの侵害を検出することと、
前記侵害の前記検出に応答して前記ジオフェンスを初期状態から一時的に改変することと、
持続時間の満了に応答して前記ジオフェンスを前記初期状態に戻すことと
を行うためのプロセッサと
を備えるモバイルデバイス。
［Ｃ１２］ 前記初期状態が、前記ジオフェンスによって境界を示されたエリアのサイズによって特徴づけられる、Ｃ１１に記載のモバイルデバイス。
［Ｃ１３］ 前記ジオフェンスが円形ジオフェンスを備え、前記ジオフェンスが、前記円形ジオフェンスの半径を変更することによって一時的に改変される、Ｃ１２に記載のモバイルデバイス。
［Ｃ１４］ 前記ジオフェンスは、前記モバイルデバイスが、前記ジオフェンスによって境界を示されたエリアに入ったことを検出したことに応答して、前記円形ジオフェンスの前記半径を一時的に増加させることによって一時的に改変される、Ｃ１３に記載のモバイルデバイス。
［Ｃ１５］ 前記ジオフェンスは、前記モバイルデバイスが、前記ジオフェンスによって境界を示されたエリアを出たことを検出したことに応答して、前記円形ジオフェンスの前記半径を一時的に減少させることによって一時的に改変される、Ｃ１３に記載のモバイルデバイス。
［Ｃ１６］ 前記ジオフェンスが多角形形状を備える、Ｃ１１に記載のモバイルデバイス。
［Ｃ１７］ 前記侵害は、
前記モバイルデバイスの軌道を取得することと、
前記軌道が前記ジオフェンスを横断したと判断したことに応答して、前記モバイルデバイスが前記ジオフェンスに入ったのか前記ジオフェンスを出たのかを判断することと
によって検出される、Ｃ１１に記載のモバイルデバイス。
［Ｃ１８］ 前記プロセッサが、前記モバイルデバイスのロケーションの一連の２つ以上の推定値に少なくとも部分的に基づいて前記軌道を計算するようにさらに構成された、Ｃ１７に記載のモバイルデバイス。
［Ｃ１９］ 前記プロセッサが、前記モバイルデバイスに搭載された１つまたは複数の慣性センサーから取得された測定値に少なくとも部分的に基づいて前記軌道を計算するようにさらに構成された、Ｃ１７に記載のモバイルデバイス。
［Ｃ２０］ 前記ジオフェンスが、前記持続時間内での増分にわたって前記ジオフェンスを前記初期状態に戻すことによって、前記持続時間の満了に応答して前記初期状態に戻される、Ｃ１１に記載のモバイルデバイス。
［Ｃ２１］ モバイルデバイスが、ジオフェンスによって境界を示された領域に入ったことまたは前記領域を出たことの検出に応答して、前記ジオフェンスの侵害を検出することと、
前記侵害の前記検出に応答して前記ジオフェンスを初期状態から一時的に改変することと、
持続時間の満了に応答して前記ジオフェンスを前記初期状態に戻すことと
を行うための、専用計算装置によって実行可能である、その上に記憶された機械可読命令を備える非一時的記憶媒体
を備える物品。
［Ｃ２２］ 前記初期状態が、前記ジオフェンスによって境界を示されたエリアのサイズによって特徴づけられ、前記ジオフェンスが円形ジオフェンスを備え、前記ジオフェンスが、前記円形ジオフェンスの半径を変更することによって一時的に改変される、Ｃ２１に記載の物品。
［Ｃ２３］ 前記ジオフェンスは、前記モバイルデバイスが、前記ジオフェンスによって境界を示されたエリアに入ったことを検出したことに応答して、前記円形ジオフェンスの前記半径を一時的に増加させることによって一時的に改変される、Ｃ２２に記載の物品。
［Ｃ２４］ 前記ジオフェンスは、前記モバイルデバイスが、前記ジオフェンスによって境界を示されたエリアを出たことを検出したことに応答して、前記円形ジオフェンスの前記半径を一時的に減少させることによって一時的に改変される、Ｃ２１に記載の物品。
［Ｃ２５］ モバイルデバイスが、ジオフェンスによって境界を示された領域に入ったことまたは前記領域を出たことの検出に応答して、前記ジオフェンスの侵害を検出するための手段と、
前記侵害の前記検出に応答して前記ジオフェンスを初期状態から一時的に改変するための手段と、
持続時間の満了に応答して前記ジオフェンスを前記初期状態に戻すための手段と
を備える装置。
［Ｃ２６］ 前記侵害を検出するための前記手段は、
前記モバイルデバイスの軌道を取得するための手段と、
前記軌道が前記ジオフェンスを横断したと判断したことに応答して、前記モバイルデバイスが前記ジオフェンスに入ったのか前記ジオフェンスを出たのかを判断するための手段と
をさらに備える、Ｃ２５に記載の装置。
［Ｃ２７］ 前記モバイルデバイスのロケーションの一連の２つ以上の推定値に少なくとも部分的に基づいて前記軌道を計算するための手段をさらに備える、Ｃ２６に記載の装置。
［Ｃ２８］ 前記モバイルデバイスに搭載された１つまたは複数の慣性センサーから取得された測定値に少なくとも部分的に基づいて前記軌道を計算するための手段をさらに備える、Ｃ２６に記載の装置。